(57)【要約】      （修正有）【課題】防水性を有し、従来よりも作業員間での取付後の製品のバラツキを抑制できる照明装置を提供する。【解決手段】照明装置は、筐体２と窓部材３と発光素子基板１２とを備える。筐体２は、中空部を覆う底部及び一対の側部と、一対の側部よりも内側で、且つ、発光素子基板１２よりも外側の位置において離間した２箇所以上で延伸する複数の収容溝とを有する。複数の収容溝のそれぞれは、一対の内壁で挟まれた第一溝領域と、第一溝領域よりも窓部材から離れた位置に配置され第一溝領域よりも幅寸法が拡大した第二溝領域とを有する。第二溝領域は、一対の内壁と、溝底面４８と、溝底面４８に対向する係合面４７とを有する。窓部材３が備える複数の脚部３１，３２は、複数の収容溝のそれぞれに収容され、少なくとも第一溝領域内の内壁４３，４４に対してコーキング材９を介して接触し、且つ、係合面４７に対して直接又はコーキング材９を介して接触する。【選択図】図１０
2020064822.tif 000002
【特許請求の範囲】
【請求項１】
第一方向に延伸する中空部を３方向からＵ字状に覆うように配置された筐体と、前記中空部を前記筐体が配置されていない側から前記第一方向とは異なる第二方向に覆うように配置された窓部材と、前記中空部内に配置された発光素子基板とを備え、前記発光素子基板から放射された光が前記窓部材を介して取り出される照明装置であって、
前記筐体は、
前記中空部を、前記窓部材とは反対側から、前記３方向のうちの１つの方向である前記第二方向に覆う底部と、
前記中空部を、前記３方向のうちの他の２つの方向である、前記第一方向及び前記第二方向とは異なる第三方向の正負双方向に覆う一対の側部と、
前記第三方向に関して、前記一対の側部よりも内側で、且つ、前記発光素子基板よりも外側の位置において、前記第三方向に離間した２箇所以上で前記第一方向に延伸する複数の収容溝とを有し、
前記複数の収容溝のそれぞれは、
前記窓部材に近い側に位置する溝部分に対応した領域であって、前記第三方向に相互に向かい合う一対の内壁で挟まれた第一溝領域と、
前記第一溝領域よりも前記窓部材から前記第二方向に離れた位置に配置され、前記第一溝領域よりも前記第一方向から見たときの幅寸法が拡大した溝部分に対応した領域であって、前記第三方向に相互に向かい合う一対の内壁と、前記窓部材に対して前記第二方向に離れた位置に配置された溝底面と、前記第一溝領域との境界位置において前記第二方向に前記溝底面に対向する係合面とを含む第二溝領域とを有し、
前記窓部材は、前記複数の収容溝のそれぞれに収容されると共に、少なくとも前記第一溝領域内の内壁に対してコーキング材を介して接触し、且つ、前記係合面に対して直接又はコーキング材を介して接触している、前記第一方向に延伸する複数の脚部を有することを特徴とする、照明装置。
【請求項２】
前記複数の脚部のそれぞれは、前記第一溝領域内における前記一対の内壁のうちの、一方の内壁に対してコーキング材を介して接触する第一脚部と、前記第一溝領域内における前記一対の内壁のうちの、他方の内壁に対してコーキング材を介して接触する第二脚部とを備え、
前記第一脚部又は前記第二脚部の一方が、前記係合面に対して直接又はコーキング材を介して接触していることを特徴とする、請求項１に記載の照明装置。
【請求項３】
前記筐体は、前記第三方向に関して、前記一対の側部よりも内側で、且つ、前記収容溝よりも外側の位置において、前記第三方向に離間した２箇所以上で前記第一方向に延伸する複数のパッキン用溝を有し、
前記パッキン用溝内に収容されたパッキンを介して、前記窓部材と前記パッキン用溝の底面とが接触していることを特徴とする、請求項１又は２に記載の照明装置。
【請求項４】
前記窓部材は、前記第三方向に関して前記脚部よりも内側の位置において、前記第三方向に離間した２箇所以上で、前記第一方向に延伸する複数の基板支持部を有し、
前記基板支持部は、
前記窓部材から前記第二方向に離れるほど、前記第三方向に関して前記側部から遠ざかるように傾斜しており、
前記窓部材から前記第二方向に最も離れた端部の位置において、前記発光素子基板の前記窓部材側の面と接触していることを特徴とする、請求項１〜３のいずれか１項に記載の照明装置。
【請求項５】
前記筐体は、前記第三方向に関して前記収容溝よりも内側の位置において、前記収容溝の内壁に連結され、前記底部と平行な主面を有して前記第三方向に離間した２箇所で前記第一方向に延伸する一対の基板載置部を有し、
前記発光素子基板は、一対の前記基板載置部の前記主面上に、前記第三方向にまたがるように載置されていることを特徴とする、請求項４に記載の照明装置。
【請求項６】
前記発光素子基板が、ＬＥＤ基板であることを特徴とする、請求項１〜５のいずれか１項に記載の照明装置。
【請求項７】
植物育成用の照明用途で用いられる請求項１〜６のいずれか１項に記載の照明装置。
【発明の詳細な説明】
【技術分野】
【０００１】
本発明は、照明装置に関し、特に水が利用される環境下での照明に適した照明装置に関する。
【背景技術】
【０００２】
近年、植物を人工的に栽培する目的で、植物育成用の照明装置の開発が進められている
（例えば特許文献１参照）。
【０００３】
図２２は、上記特許文献１に開示された、植物育成用の照明装置の構造の一例を模式的に示す正面図である。図２２に示すように、この照明装置１００は、長尺形状を呈している。図２３は、図２２に示す照明装置１００の短手方向に係る模式的な断面図である。以下、図２２及び図２３を参照して、従来の照明装置１００の構造の詳細について説明する。
【０００４】
照明装置１００は、外観形状が長尺な直方体状を呈した筐体１１１を有する。筐体１１１は、天壁部１１１ａ、底壁部１１１ｂ、及び側壁部１１１ｃを有した枠状体である。筐体１１１は、天壁部１１１ａの形成箇所が開口されており、この開口領域を塞ぐように、窓部材１３０が配設されている。すなわち、筐体１１１と窓部材１３０とによって、四方が覆われてなる中空部が形成されている。
【０００５】
筐体１１１及び窓部材１３０に囲まれた中空部内において、長尺なＬＥＤ基板１２０及び電装基板１２８がそれぞれ、対向して配置されている。ＬＥＤ基板１２０は、ＬＥＤ素子１２１を搭載している。
【０００６】
なお、図２２及び図２３に示す照明装置１００は、ＬＥＤ素子１２１の発光強度を遠隔で調整するためのアンテナ１４１を搭載している。このアンテナ１４１は、電装基板１２８と電気的に接続されて配設されている。具体的には、窓部材１３０は、側壁部１１１ｃに近い位置において底壁部１１１ｂ側に向かって突出する隔壁１３０ａを有しており、この隔壁１３０ａと、窓部材１３０の外縁部１３０ｂとの間に、アンテナ１４１を収容するための空間が形成されている。
【０００７】
照明装置１００は、窓部材１３０が配置されている側を、照明対象物に対向させて配置される。照明装置１００が植物育成用の照明装置である場合、照明対象物は圃場であり、一般的には、照明装置１００よりも下方に位置する。すなわち、照明装置１００は、窓部材１３０を下向きにした状態で取り付けられる。窓部材１３０は、ＬＥＤ素子１２１から放射される光を透過する材料で形成されており、ＬＥＤ素子１２１から放射された光は、窓部材１３０を介して、照明対象物である圃場に対して照射される。
【先行技術文献】
【特許文献】
【０００８】
【特許文献１】特開２０１６−１９５５５６号公報
【発明の概要】
【発明が解決しようとする課題】
【０００９】
図２３に示すように、照明装置１００において、筐体１１１（より詳細には天壁部１１１ａ）と窓部材１３０との間には、シール部材１５０が形成されている。このシール部材１５０は、天壁部１１１ａの内表面と窓部材１３０の外縁部１３０ｂの外側部分との間隙を塞ぐためのものである。シール部材１５０を形成するための材料としては、例えばシリコンやウレタンなどが用いられる。
【００１０】
上述したように、照明装置１００が植物育成用の照明用途に利用される場合、例えば、照射対象物に対する散水工程や、水耕栽培においては野菜の取り出し時において、照明装置１００は、一般的な屋内照明とは異なり、水と接触する可能性が極めて高くなることが想定される。このため、照明装置１００は、一般的な屋内照明よりも防水性を高めることが要求される。シール部材１５０は、筐体１１１の外表面に水が付着した場合であっても、この水が、窓部材１３０の内側に流入してＬＥＤ基板１２０に短絡などの障害を生じさせないようにする目的で設けられている。
【００１１】
しかし、シール部材１５０を取り付けるに際して、以下のような課題が顕在化する。この点につき、図２４も参照しながら説明する。図２４は、図２２と同様に、照明装置１００の模式的な正面図であり、説明の都合上、図２２に加えて、シール部材１５０と側面カバー１６０を誇張して表示したものである。側面カバー１６０とは、照明装置１００の長手方向から、内部、すなわちＬＥＤ基板１２０や電装基板１２８が収容された空間を密閉する目的で設けられる。なお、図示しないが、側面カバー１６０のうちの一方には、電装基板１２８と外部電源とを電気的に接続するための電源ケーブルが挿通されるケーブル孔が設けられる。
【００１２】
照明装置１００の製造手順はおおよそ以下の通りである。まず、図２３に示すように、窓部材１３０を、筐体１１１の開口領域に挿入する。より詳細には、窓部材１３０の外縁部１３０ｂが、筐体１１１の天壁部１１１ａの下方（底壁部１１１ｂ側）の隙間に位置させた状態を維持したまま、長手方向に窓部材１３０が挿入される。その後、作業員は、側面カバー１６０を取り付けた後、窓部材１３０の外縁部１３０ｂと筐体１１１の天壁部１１１ａの内側の隙間の位置に、長手方向に沿ってシール部材１５０を公知の方法で装着させる。その後、シール部材１５０が完全に硬化するまで待機した後、照明装置１００の検査工程に移行する。
【００１３】
ここで、図２４に示すように、シール部材１５０は長手方向に沿って装着される必要がある。よって、作業方法としては、図２３の紙面上方向から、シール部材取付用具の先端を、窓部材１３０の外縁部１３０ｂと筐体１１１の天壁部１１１ａとの隙間に位置させた状態で、シール部材取付用具からシール部材１５０を出しつつ紙面奥行方向に沿わせながら移動させる方法が採用される。この方法による場合、窓部材１３０の外縁部１３０ｂと筐体１１１の天壁部１１１ａとの隙間は、図２３における紙面左右方向であるため、作業員は、隙間内をシール部材１５０で完全に充填できているかどうかを目視で確認しながら作業するのが難しい。このため、作業員は、前記隙間を確実にシール部材１５０で充填すべく、充填に必要な最小量よりはある程度多めにシール部材１５０を装着せざるを得ない。
【００１４】
このような事情により、装着されるシール部材１５０の量が、作業員ごとにばらついてしまうという問題がある。図２３及び図２４に示すように、完成後の照明装置１００において、シール部材１５０は外側に露出されるため、シール部材１５０があまりに多量に用いられている場合には、第三者がそのことを目視で確認できてしまうため、美観上好ましくない。
【００１５】
本発明は、上記の課題に鑑み、防水性を有し、従来よりも作業員間での取付後の製品のバラツキを抑制できる照明装置を提供することを目的とする。
【課題を解決するための手段】
【００１６】
本発明は、第一方向に延伸する中空部を３方向からＵ字状に覆うように配置された筐体と、前記中空部を前記筐体が配置されていない側から前記第一方向とは異なる第二方向に覆うように配置された窓部材と、前記中空部内に配置された発光素子基板とを備え、前記発光素子基板から放射された光が前記窓部材を介して取り出される照明装置であって、
前記筐体は、
前記中空部を、前記窓部材とは反対側から、前記３方向のうちの１つの方向である前記第二方向に覆う底部と、
前記中空部を、前記３方向のうちの他の２つの方向である、前記第一方向及び前記第二方向とは異なる第三方向の正負双方向に覆う一対の側部と、
前記第三方向に関して、前記一対の側部よりも内側で、且つ、前記発光素子基板よりも外側の位置において、前記第三方向に離間した２箇所以上で前記第一方向に延伸する複数の収容溝とを有し、
前記複数の収容溝のそれぞれは、
前記窓部材に近い側に位置する溝部分に対応した領域であって、前記第三方向に相互に向かい合う一対の内壁で挟まれた第一溝領域と、
前記第一溝領域よりも前記窓部材から前記第二方向に離れた位置に配置され、前記第一溝領域よりも前記第一方向から見たときの幅寸法が拡大した溝部分に対応した領域であって、前記第三方向に相互に向かい合う一対の内壁と、前記窓部材に対して前記第二方向に離れた位置に配置された溝底面と、前記第一溝領域との境界位置において前記第二方向に前記溝底面に対向する係合面とを含む第二溝領域とを有し、
前記窓部材は、前記複数の収容溝のそれぞれに収容されると共に、少なくとも前記第一溝領域内の内壁に対してコーキング材を介して接触し、且つ、前記係合面に対して直接又はコーキング材を介して接触している、前記第一方向に延伸する複数の脚部を有することを特徴とする。
【００１７】
上記構成によれば、収容溝内にコーキング材が収容された状態で、収容溝内に脚部を嵌合させることで窓部材が筐体に取り付けられる。ここで、コーキング材の取り付け場所となる収容溝は、一対の内壁と溝底面とで覆われている。このため、作業員は、最大限この内壁を超えない程度に収容溝内にコーキング材を取り付ければよく、従来製品よりも、コーキング材の取付量にバラツキが生じにくい。
【００１８】
更に、コーキング材が取り付けられた後、窓部材は、当該窓部材が備える脚部を収容溝内に収容した状態で筐体に取り付けられる。つまり、コーキング材が取り付けられた収容溝は、窓部材によって蓋がされるため、コーキング材が設置された場所は装置外部からは確認できない場所となる。これにより、仮に、コーキング材の取付量が作業員に応じて差異があったとしても、その差異が取付後の照明装置に外観上の差異としては現れず、美観上の問題が生じにくい。
【００１９】
なお、収容溝は、第一溝領域と、第一溝領域よりも幅寸法の大きい第二溝領域とを有しており、この第一溝領域と第二溝領域との境界位置において、溝底面に対向する面である係合面を有している。そして、窓部材は、この係合面に係合するような形状の脚部を有している。つまり、コーキング材の取付後、コーキング材が完全に硬化する前であっても、窓部材を筐体に取り付けることで、窓部材の脚部が収容溝の係合面と仮固定される。よって、作業員は、コーキング材が完全に硬化するのを待つことなく、次の工程を実行することができるため、作業の効率化が図れるという付加的な効果も奏する。
【００２０】
なお、この照明装置において、窓部材を筐体に取り付けるに際しては、窓部材を筐体に対して第二方向から近づけて、筐体に設けられた収容溝内に窓部材の脚部を嵌合させることで行われる。つまり、従来の照明装置１００のように、窓部材１３０を長手方向に沿って筐体１１１の開口領域に挿入させるという作業が必要とはされない。本発明に係る照明装置が長尺状である場合には、従来の照明装置１００よりも取付作業が容易化されるという、更なる副次的な効果も奏される。
【００２１】
前記複数の脚部のそれぞれは、前記第一溝領域内における前記一対の内壁のうちの、一方の内壁に対してコーキング材を介して接触する第一脚部と、前記第一溝領域内における前記一対の内壁のうちの、他方の内壁に対してコーキング材を介して接触する第二脚部とを備え、
前記第一脚部又は前記第二脚部の一方が、前記係合面に対して直接又はコーキング材を介して接触しているものとしても構わない。
【００２２】
かかる構成によれば、溝領域内の一方の内壁と第一脚部との間に介在するコーキング材と、溝領域内の他方の内壁と第二脚部との間に介在するコーキング材とによって、水の侵入が防止される。つまり、筐体と窓部材との間から、筐体の内側である発光素子基板の設置領域まで水が侵入するためには、少なくとも上記２箇所の防水材（コーキング材）設置箇所を通過する必要があるため、従来製品よりも更に防水性能が高められる。
【００２３】
前記筐体は、前記第三方向に関して、前記一対の側部よりも内側で、且つ、前記収容溝よりも外側の位置において、前記第三方向に離間した２箇所以上で前記第一方向に延伸する複数のパッキン用溝を有し、
前記パッキン用溝内に収容されたパッキンを介して、前記窓部材と前記パッキン用溝の底面とが接触しているものとしても構わない。
【００２４】
かかる構成によれば、窓部材と筐体との間に介在するパッキンと、溝領域内の内壁と脚部との間に介在するコーキング材とによって、水の侵入が防止される。つまり、筐体と窓部材との間から、筐体の内側であるＬＥＤ基板の設置領域まで水が侵入するためには、少なくとも上記２箇所の防水材（コーキング材、パッキン）設置箇所を通過する必要があるため、従来製品よりも更に防水性能が高められる。
【００２５】
前記窓部材は、前記第三方向に関して前記脚部よりも内側の位置において、前記第三方向に離間した２箇所以上で、前記第一方向に延伸する複数の基板支持部を有し、
前記基板支持部は、
前記窓部材から前記第二方向に離れるほど、前記第三方向に関して前記側部から遠ざかるように傾斜しており、
前記窓部材から前記第二方向に最も離れた端部の位置において、前記発光素子基板の前記窓部材側の面と接触しているものとしても構わない。
【００２６】
照明装置の取付時には、窓部材が、筐体の底部とは反対側から筐体に対して取り付けられる。このとき、上記のように、窓部材が基板支持部を備えることで、窓部材の取付時に基板支持部の端部が発光素子基板の上面と接触される。これにより、仮に照明装置が振動した場合であっても、発光素子基板が窓部材側に移動することが抑制される。
【００２７】
前記筐体は、前記第三方向に関して前記収容溝よりも内側の位置において、前記収容溝の内壁に連結され、前記底部と平行な主面を有して前記第三方向に離間した２箇所で前記第一方向に延伸する一対の基板載置部を有し、
前記発光素子基板は、一対の前記基板載置部の前記主面上に、前記第三方向にまたがるように載置されているものとしても構わない。
【００２８】
前記発光素子基板は、ＬＥＤ基板としてもよい。
【００２９】
本発明に係る照明装置は、植物育成用の照明用途で用いられることができる。
【発明の効果】
【００３０】
本発明の照明装置によれば、防水性を有し、従来よりも作業員間での取付後の製品のバラツキが抑制される。
【図面の簡単な説明】
【００３１】
【図１】本発明の第一実施形態の照明装置の構造を模式的に示す斜視図である。
【図２】図１から側面カバーを取り外した状態の照明装置の構造を模式的に示す斜視図である。
【図３】図２から筐体と窓部材のみを抽出し、両者を分離して表示した模式的な斜視図である。
【図４】筐体を−Ｙ方向から見たときの模式的な平面図である。
【図５】図４内の領域Ａ１の模式的な拡大図である。
【図６】電装基板及びＬＥＤ基板が取り付けられた状態の筐体を−Ｘ方向から見たときの模式的な平面図である。
【図７】図６内の領域Ａ２の模式的な拡大図である。
【図８】図３に示す状態を−Ｘ方向から見たときの模式的な平面図である。
【図９】窓部材が筐体に取り付けられた状態の構造を、−Ｘ方向から見たときの模式的な平面図である。
【図１０】図９内の領域Ａ３の模式的な拡大図である。
【図１１】側面カバーを筐体に取り付ける状況を示す模式的な斜視図である。
【図１２】照明装置の利用態様を模式的に示す図面である。
【図１３】本発明の第二実施形態の照明装置の構造を、図２にならって模式的に示した斜視図である。
【図１４】窓部材を取り付ける前の状態の第二実施形態の照明装置の模式的な斜視図である。
【図１５】第二実施形態の照明装置が備える筐体の−Ｘ方向から見たときの模式的な平面図を、図６にならって図示したものである。
【図１６】図１５内の領域Ａ４の模式的な拡大図である。
【図１７】第二実施形態の照明装置において、窓部材を筐体に取り付ける状況を説明するための模式的な平面図を、図８にならって図示したものである。
【図１８】第二実施形態の照明装置において、窓部材が筐体に取り付けられた状態の構造を、図９にならって図示したものである。
【図１９】図１８内の領域Ａ５の模式的な拡大図である。
【図２０】別実施形態の照明装置において、窓部材が筐体に取り付けられた状態の構造を図９にならって図示した模式的な平面図である。
【図２１】図２０内の領域Ａ６の模式的な拡大図である。
【図２２】従来の植物育成用の照明装置の構造の一例を模式的に示す正面図である。
【図２３】図２２に示す照明装置の、短手方向に係る模式的な断面図である。
【図２４】従来の植物育成用の照明装置の構造の一例を模式的に示す正面図である。
【発明を実施するための形態】
【００３２】
本発明に係る照明装置の実施形態につき、図面を参照して説明する。以下の各図面は、あくまで模式的に図示されたものである。すなわち、図面上の寸法比は必ずしも実際の寸法比とは一致しておらず、また、各図面間においても図面上の寸法比は必ずしも一致していない。
【００３３】
なお、以下では、適宜図面上に図示されたＸＹＺ座標系を用いて説明される。また、以下の説明において、正負を区別して方向を記載する場合には「＋Ｘ方向」、「−Ｘ方向」などと記載し、両者を区別せずに記載する場合には単に「Ｘ方向」などと記載する。
【００３４】
［第一実施形態］
本発明に係る照明装置の第一実施形態につき、図１〜図１２の各図を参照して説明する。
【００３５】
図１は、第一実施形態の照明装置１の構造を模式的に示す斜視図である。図１に示す照明装置１は、筐体２と、窓部材３と、側面カバー４と、取付部材６とを備える。
【００３６】
図１に示すように、照明装置１は、Ｘ方向に延伸する長尺形状を呈している。すなわち、筐体２及び窓部材３についても、Ｘ方向に延伸する形状を呈している。本実施形態において、Ｘ方向が「第一方向」に対応する。
【００３７】
詳細は後述されるが、筐体２と窓部材３とによって内側の中空部７（図３参照）が覆われるように構成されている。側面カバー４は、筐体２及び窓部材３を、＋Ｘ方向及び−Ｘ方向から覆うように設けられたカバー部材であり、図１では、筐体２及び窓部材３を−Ｘ方向から覆う側面カバーに対して符号「４ｃ」が付され、筐体２及び窓部材３を＋Ｘ方向から覆う側面カバーに対して符号「４ｄ」が付されている。取付部材６については図１２を参照して後述される。
【００３８】
本実施形態では、側面カバー４のうちの一方の側面カバー４ｃにはケーブル挿入孔５が設けられている。外部電源に一端が接続された電源ケーブルが、このケーブル挿入孔５を介して、照明装置１内に挿入され、後述する電装基板１１と電気的に接続される。
【００３９】
図２は、図１から側面カバーを取り外した状態の照明装置１の構造を模式的に示す斜視図である。図２に示すように、筐体２と窓部材３とで囲まれた領域内に、電装基板１１とＬＥＤ基板１２とが配置されている。ＬＥＤ基板１２には、ＬＥＤ素子１３（後述する図６参照）が実装されている。ＬＥＤ基板１２は、例えばアルミニウムよりなる長尺な略矩形板状の基体の表面に、配線パターンが形成された絶縁膜が積層されており、この配線パターンと電気的に接続された状態でＬＥＤ素子１３が実装されている。電装基板１１は、ＬＥＤ素子１３の駆動回路などが実装された基板である。
【００４０】
本実施形態では、照明装置１がＬＥＤ照明装置である場合について説明される。このとき、ＬＥＤ基板１２は「発光素子基板」に対応する。
【００４１】
筐体２及び窓部材３について、図３も参照しながら説明する。図３は、図２から、筐体２と窓部材３のみを抽出し、両者を分離して表示した模式的な斜視図である。
【００４２】
筐体２は、金属製部材からなり、好ましくは高い熱伝導率を有する材料であるアルミニウムからなる。更に好ましくは、筐体２は防滴性を有している。具体的には、筐体２は、例えば押出し成形などによって一体形成することによって得られる接合部分を有さない構造、又は複数の部材によって構成され、部材同士を繋ぎ合せたような接合部分を有するものの、その接合部分が例えば溶接なとによって当該接合部分に間隙がないように形成された構造を有するものからなる。
【００４３】
図３に示すように、筐体２は、中空部７を、＋Ｙ方向、＋Ｚ方向、及び−Ｚ方向の３方向から覆うように配置されている。また、窓部材３は、中空部７を−Ｙ方向から覆うように配置されている。筐体２及び窓部材３によって囲まれた中空部７は、Ｘ方向に延伸する形状を示す。本実施形態において、Ｙ方向が「第二方向」に対応し、Ｚ方向が「第三方向」に対応する。
【００４４】
すなわち、筐体２は、Ｘ方向から見たときに、中空部７を３方向からＵ字状に覆うように配置されている。より詳細には、筐体２は、中空部７を＋Ｙ方向から覆う底部２０と、中空部７を＋Ｚ方向及び−Ｚ方向から覆う一対の側部２２とを有する。以下では、一対の側部２２のうち、中空部７を−Ｚ方向から覆う側を「側部２２ａ」と称し、中空部７を＋Ｚ方向から覆う側を「側部２２ｂ」と称し、両者を区別せずに記載するときは単に「側部２２」と称する。
【００４５】
窓部材３は、ＬＥＤ基板１２（より詳細にはＬＥＤ素子１３）から放射された光に対して透過性を有し、且つ、押出し成形が可能な材料で構成される。例えば、窓部材３は、ポリカーボネイト樹脂やアクリル樹脂で構成される。また、別の例として、窓部材３はガラス材料で構成される。
【００４６】
図３に示すように、窓部材３は、中空部７を、筐体２の底部２０とは反対側である−Ｙ方向から覆うように配置される。すなわち、窓部材３は、筐体２の底部２０とは反対側から、ｄ１方向（＋Ｙ方向）に筐体２に取り付けられる。
【００４７】
筐体２及び窓部材３の構造につき、図４〜図１０を参照して更に説明する。
【００４８】
図４は、筐体２を−Ｙ方向から見たときの模式的な平面図である。図５は、図４内の領域Ａ１の模式的な拡大図である。図６は、電装基板１１及びＬＥＤ基板１２が取り付けられた状態の筐体２を−Ｘ方向から見たときの模式的な平面図である。図７は、図６内の領域Ａ２の模式的な拡大図である。
【００４９】
図８は、窓部材３を筐体２に取り付ける状況を説明するための模式的な平面図であり、図３に示す状態を−Ｘ方向から見たときの模式的な平面図に対応する。図９は、窓部材３が筐体２に取り付けられた状態の構造を、−Ｘ方向から見たときの模式的な平面図である。図１０は、図９内の領域Ａ３の模式的な拡大図である。なお、図９及び図１０においては、図示の都合上、ＬＥＤ素子１３の図示が省略されている。
【００５０】
図３及び図４に示すように、筐体２にはＸ方向に延伸する溝部を有している。より詳細には、図５及び図６に示すように、Ｚ方向に離間した２箇所の位置において、Ｘ方向に延伸する一対の収容溝２１を有している。以下では、一対の収容溝２１のうち、Ｚ方向に関して−Ｚ側に位置する収容溝２１を「収容溝２１ａ」と称し、＋Ｚ側に位置する収容溝２１を「収容溝２１ｂ」と称し、両者を区別せずに記載するときは単に「収容溝２１」と称する。図６に示すように、収容溝２１は、Ｚ方向に関し、筐体２の側部２２よりも内側で、且つＬＥＤ基板１２よりも外側の位置に設けられている。
【００５１】
筐体２は、収容溝２１の内壁を構成する隔壁部２３を有している。すなわち、この隔壁部２３は、収容溝２１と同様にＸ方向に延伸しており、隔壁部２３と側部２２（及び図７に示す溝底面４８）とで挟まれた位置において、Ｘ方向に延伸する収容溝２１が形成される。つまり、隔壁部２３と側部２２とは、Ｚ方向に離間して対向している。なお、図６に示すように、収容溝２１は、−Ｚ側と＋Ｚ側の位置において一対に形成されているため、隔壁部２３についても両側に形成されている（隔壁部２３ａ，隔壁部２３ｂ）。
【００５２】
筐体２は、ＸＺ平面に平行な平面を有する基板載置部（２４，２５）を有する。基板載置部（２４，２５）は、いずれもＺ方向に離間した位置に一対に配置されており（基板載置部（２４ａ，２４ｂ）；基板載置部（２５ａ，２５ｂ））、基板載置部２４の上面にはＬＥＤ基板１２が載置され、基板載置部２５の上面には電装基板１１が載置される。
【００５３】
つまり、筐体２は、底部２０，側部２２，収容溝２１、隔壁部２３、及び基板載置部（２４，２５）を有するような形状となるように加工が施された構造体である。
【００５４】
図７に示すように、収容溝２１は、−Ｙ側、すなわち窓部材３に近い側に位置する溝部分に対応する第一溝領域４１と、第一溝領域４１よりも＋Ｙ側、すなわちＹ方向に関して窓部材３から離れた位置に配置された第二溝領域４２とを有する。第二溝領域４２の幅寸法Ｗ２は、第一溝領域４１の幅寸法Ｗ１よりも大きい。
【００５５】
第一溝領域４１は、Ｚ方向に対向する内壁（４３，４４）を有する。第二溝領域４２は、Ｚ方向に対向する内壁（４５，４６）と、溝底面４８とを有する。なお、本実施形態において、内壁４３及び内壁４５は、筐体２の側部２２によって構成されており、内壁４４及び内壁４６は、筐体２の隔壁部２３によって構成されている。
【００５６】
また、第二溝領域４２は、第一溝領域４１との境界位置において、溝底面４８とＹ方向に対向する係合面４７を有する。
【００５７】
図８に示すように、本実施形態において、窓部材３は、基体部３０と、基体部３０からＹ方向に突出する部分（第一脚部３１、第二脚部３２、及び基板支持部３４）を有する。基体部３０からＹ方向に突出する第一脚部３１、第二脚部３２、及び基板支持部３４は、それぞれＸ方向に延伸した形状を呈している。
【００５８】
第一脚部３１は、基体部３０からＹ方向に離れた位置において、Ｚ方向に関して基体部３０から離れる方向（外向き）に屈曲した係合部３３を備える。第二脚部３２は、第一脚部３１よりもＺ方向に関して内側に位置している。窓部材３が筐体２に取り付けられる際、これらの脚部（３１，３２）はいずれも筐体２の収容溝２１内に収容される。
【００５９】
なお、図８に示すように、第一脚部３１、第二脚部３２、係合部３３、及び基板支持部３４は、いずれもＺ方向に離間した位置に一対で設けられている。図８では、一対の第一脚部３１のうち、Ｚ方向に関して−Ｚ側に位置する第一脚部３１には「３１ａ」の符号が付され、＋Ｚ側に位置する第一脚部３１には「３１ｂ」の符号が付されている。第二脚部３２、係合部３３，及び基板支持部３４についても同様である。
【００６０】
窓部材３を筐体２に取り付ける際には、図８に示すように、Ｘ方向に延伸する収容溝２１内にコーキング材９を装着した後、窓部材３を、筐体２の底部２０とは反対側の−Ｙ側から装着させる。コーキング材９は、防水性と密着性を実現できる材料であればよく、例えばシリコーンやポリウレタンなどの樹脂を用いることができる。図９に示すように、窓部材３の第一脚部３１及び第二脚部３２は、筐体２の収容溝２１内に収容される。この点につき、図９内の領域Ａ３の拡大図である図１０を参照して説明する。
【００６１】
収容溝２１内にコーキング材９が配置された状態で、窓部材３が筐体２側に押圧されると、窓部材３の第一脚部３１及び第二脚部３２によって、コーキング材９が収容溝２１内で拡散される。このとき、コーキング材９は、収容溝２１を構成する内壁（４３，４４）に付着する。
【００６２】
ここで、上述したように、窓部材３の第一脚部３１はＺ方向に関して基体部３０から離れる方向、すなわち外向きに屈曲した係合部３３を備えており、筐体２の収容溝２１は、溝底面４８とＹ方向に対向した係合面４７を備えている。このため、窓部材３を筐体２に取り付ける際に、係合部３３を係合面４７に係合させることができる。すなわち、コーキング材９が完全に硬化する前の段階で、窓部材３と筐体２とを仮固定することが可能となる。
【００６３】
このため、コーキング材９が完全に固定されるまで数時間程度待機することなく、次の工程を引き続き実行できるため、照明装置１の製造作業の時間が短縮化される。
【００６４】
また、図１０に示すように、本実施形態の照明装置１によれば、収容溝２１の内壁４３と窓部材３の第一脚部３１とがコーキング材９を介して接触し、内壁４３と反対側に位置する内壁４４と窓部材３の第二脚部３２とがコーキング材９を介して接触する。このため、仮に筐体２や窓部材３の外表面に水が付着した場合であっても、筐体２と窓部材３との境界位置である領域Ｂ１からＬＥＤ基板１２の設置位置までの経路上には、上述した２箇所にコーキング材９が設置されている。このため、水がＬＥＤ基板１２の設置位置まで侵入することが十分に防止される。
【００６５】
また、図８に示すように、コーキング材９は収容溝２１の内側に設けられる。つまり、作業員は、隔壁部２３と側部２２とで構成された一対の内壁と溝底面４８とで囲まれた領域内にコーキング材９を装着すればよい。このため、図２３を参照して説明した従来の照明装置１００のように、作業員によってシール部材１５０の取り付け量や取付態様に差が生じることが起こりにくい。
【００６６】
更にいえば、本実施形態の照明装置１によれば、コーキング材９が収容溝２１内に配置され、窓部材３が筐体２に取り付けられた後においては、コーキング材９は、窓部材３によって覆われるため、照明装置１の外側から視認することができない。このため、作業員に応じてコーキング材９の取付態様に差があったとしても、その差が視認されず、照明装置１ごとの外観上の差異が生じにくい。
【００６７】
また、本実施形態の照明装置１によれば、図８に示すように、窓部材３が、基体部３０からＹ方向に突出する基板支持部３４を備えている。より詳細には、基板支持部３４は、基体部３０からＹ方向に遠ざかるに連れて、Ｚ方向に関して中央に向くように傾斜している。図９を参照して説明すると、基板支持部３４は、窓部材３の基体部３０からＹ方向に遠ざかるに連れて、すなわち＋Ｙ方向に進行するに連れて、筐体２の側部２２からＺ方向に遠ざかるように傾斜した状態で設置されている。これにより、図１０に示すように、基板支持部３４の端部３４ｃによってＬＥＤ基板１２の上面が押さえられるため、照明装置１を実際に設置場所に取り付ける際などのように、照明装置１に対して振動が生じた場合であっても、ＬＥＤ基板１２がＹ方向に移動してしまうことが抑制される。
【００６８】
図１２は、照明装置１の利用態様を模式的に示す図面である。照明装置１は、図１１に示すように側面カバー４が取り付けられた後、例えば取付部材６と取付金具６１によって、天井壁６２などに固定される。そして、窓部材３を介して、照明対象物６３に対して光Ｌ１が照射される。なお、照明装置１が植物育成用途で利用される場合には、照明対象物６３は育成対象の植物が栽培されている圃場とすることができる。
【００６９】
なお、上記実施形態において、筐体２は、Ｚ方向に離間した２箇所に収容溝２１を設ける構成としたが、Ｚ方向に離間した３箇所以上に収容溝２１を設けていても構わない。以下の第二実施形態においても同様である。
【００７０】
また、図９に示すように、基板支持部３４と第二脚部３２との間の空間４０内に、図示しないアンテナを内蔵しても構わない。
【００７１】
［第二実施形態］
本発明に係る照明装置の第二実施形態につき、図１３〜図１９を参照して説明する。なお、以下の説明、及び図１３以下の各図において、第一実施形態の照明装置１と同一の構成要素については、同一の符号を付し、その説明を割愛又は省略化する。
【００７２】
図１３は、本実施形態の照明装置１の構造を、図２にならって図示した模式的な斜視図である。図１４は、窓部材３を取り付ける前の状態の照明装置１の模式的な斜視図である。本実施形態の照明装置１は、第一実施形態の照明装置１と比較して、筐体２及び窓部材３の形状、及びパッキン１０を備える点が異なっている。この点につき、図１５以下を参照して詳細に説明する。
【００７３】
図１５は、本実施形態の照明装置１が備える筐体２の−Ｘ方向から見たときの模式的な平面図を、図６にならって図示したものである。図１６は、図１５内の領域Ａ４の模式的な拡大図であり、説明の都合上、パッキン１０についても図示している。図１７は、本実施形態の照明装置１において、窓部材３を筐体２に取り付ける状況を説明するための模式的な平面図であり、図８にならって図示したものである。図１８は、窓部材３が筐体２に取り付けられた状態の構造を、−Ｘ方向から見たときの模式的な平面図であり、図９にならって図示したものである。図１９は、図１８内の領域Ａ５の模式的な拡大図である。
【００７４】
図１５に示すように、本実施形態に係る照明装置１が備える筐体２は、収容溝２１に加えて、収容溝２１よりもＺ方向に係る外側に、Ｘ方向に延伸するパッキン用溝２６を備えている。なお、パッキン用溝２６は、収容溝２１と同様に、Ｚ方向に離間した位置に一対で設けられている。図１５では、一対のパッキン用溝２６のうち、Ｚ方向に関して−Ｚ側に位置するパッキン用溝２６には「２６ａ」の符号が付され、＋Ｚ側に位置するパッキン用溝２６には「２６ｂ」の符号が付されている。筐体２は、Ｚ方向に関して、側部２２と隔壁部２３との間に、第二隔壁部２７を有した形状を呈している。そして、隔壁部２３と第二隔壁部２７との間の位置に収容溝２１が形成され、第二隔壁部２７と側部２２との間にパッキン用溝２６が形成される。
【００７５】
本実施形態の照明装置１において、窓部材３を筐体２に取り付ける際には、図１７に示すように、Ｘ方向に延伸する収容溝２１内にコーキング材９を取り付けると共に、Ｘ方向に延伸するパッキン用溝２６内にパッキン１０を取り付けた後、窓部材３を、筐体２の底部２０とは反対側の−Ｙ側から装着させる。パッキン１０は、少なくとも防水性を実現できる材料であればよく、例えばニトリルゴムなどのゴム材料やポリウレタンなどの樹脂を用いることができる。
【００７６】
なお、本実施形態において、窓部材３は第一脚部３１を備えるものの、第二脚部３２を備えない。なお、第一実施形態と同様に、第一脚部３１は、Ｚ方向に屈曲した係合部３３を備える。
【００７７】
収容溝２１内にコーキング材９が配置され、パッキン用溝２６内にパッキン１０が配置された状態で、窓部材３が筐体２側に押圧されると、図１８及び図１９に示すように、窓部材３と筐体２とが、コーキング材９及びパッキン１０を介して接触される。より詳細には、第一実施形態と同様、窓部材３の第一脚部３１によって、コーキング材９が収容溝２１内で拡散され、収容溝２１を構成する内壁（４３，４４）に付着する。また、パッキン１０は、窓部材３の押圧によりパッキン用溝２６の形状に沿って変形し、窓部材３と筐体２との密着性が確保される。
【００７８】
第一実施形態と同様に、本実施形態においても、窓部材３の第一脚部３１はＺ方向に屈曲した係合部３３を備えているため、窓部材３を筐体２に取り付ける際に、係合部３３を係合面４７に係合させることができる。すなわち、コーキング材９が完全に硬化する前の段階で、窓部材３と筐体２とを仮固定することが可能となる。
【００７９】
また、図１９に示すように、本実施形態の照明装置１によれば、収容溝２１の内壁４３と窓部材３の第一脚部３１とがコーキング材９を介して接触し、パッキン用溝２６内の底面２８と窓部材３の基体部３０とがパッキン１０を介して接触する。このため、仮に筐体２や窓部材３の外表面に水が付着した場合であっても、筐体２と窓部材３との境界位置である領域Ｂ１からＬＥＤ基板１２の設置位置までの経路上には、上述した２箇所に防水材（コーキング材９，パッキン１０）が設置されている。このため、水がＬＥＤ基板１２の設置位置まで侵入することが十分に防止される。
【００８０】
また、第一実施形態と同様の理由により、作業員によってコーキング材９の取り付け量や取付態様に差が生じることが起こりにく、仮に、作業員に応じてコーキング材９の取付態様に差があったとしても、その差が視認されず、装置ごとの外観上の差異が生じにくい。
【００８１】
なお、本実施形態においても、第一実施形態と同様に、窓部材３が第一脚部３１に加えて第二脚部３２を備えるものとしても構わない。
【００８２】
また、上記実施形態において、筐体２は、Ｚ方向に離間した２箇所にパッキン用溝１０を設ける構成としたが、Ｚ方向に離間した３箇所以上にパッキン用溝１０を設けていても構わない。
【００８３】
［別実施形態］
以下、別実施形態につき説明する。
【００８４】
〈１〉図２０に示すように、第一実施形態の照明装置１において、窓部材３が、第一脚部３１のみを備え、第二脚部３２を備えないものとしても構わない。図２０は、この別実施形態の照明装置１において、窓部材３が筐体２に取り付けられた状態の構造を図９にならって図示した模式的な平面図である。図２１は、図２０内の領域Ａ６の模式的な拡大図である。
【００８５】
この別実施形態の照明装置１によっても、第一実施形態及び第二実施形態の照明装置１と同様の理由により、取付作業時間が短縮化できると共に、作業員間での取付後の照明装置１のバラツキが抑制される。また、収容溝２１の内壁４３と窓部材３の第一脚部３１とがコーキング材９を介して接触しているため、防水性能も確保される。
【００８６】
ただし、この別実施形態の照明装置１の場合、収容溝２１の内壁４３と窓部材３の第一脚部３１とがコーキング材９を介して接触しているが、第二脚部３２やパッキン１０を備えないため、第一実施形態や第二実施形態の照明装置１と比較すると防水性能は低下する。しかし、係合部３３及び係合面４７を備え、この両者の間にコーキング材９が介在することで、筐体２と窓部材３との境界位置である領域Ｂ１から水が侵入した場合、ＬＥＤ基板１２の設置位置に到達するまでの間に、ＬＥＤ基板１２が載置されている側とは反対方向（−Ｚ方向）に水が進行する必要がある。このため、従来の照明装置１００と比較すると、防水性能の向上が期待できる。
【００８７】
〈２〉上記各実施形態では、筐体２は、ＬＥＤ基板１２用の基板載置部２４と、電装基板１１用の基板載置部２５とを有するものとしたが、ＬＥＤ基板１２と電装基板１１とを同一の平面上に配置する場合には、基板載置部（２４，２５）の一方を省略しても構わない。更に、電装基板１１及びＬＥＤ基板１２は、少なくとも中空部７内に収容されていればよく、その収容方法は任意である。すなわち、例えば、電装基板１１及びＬＥＤ基板１２を、中空部７内に収容された他の部材の上面に載置するなどの方法を採用してもよく、この場合、必ずしも筐体２の一部分からなる基板載置部（２４，２５）を設けなくても構わない。
【００８８】
〈３〉上記各実施形態では、照明装置１がＬＥＤ照明装置である場合について説明したが、有機ＥＬやレーザダイオードを光源とする照明装置に適用することも可能である。
【００８９】
〈４〉上記各実施形態の照明装置１において、係合部３３と係合面４７とは、直接接触していても構わないし、間にコーキング材９が介在していても構わない。防水性能を向上させる観点からは、後者の構造が好ましい。
【符号の説明】
【００９０】
１      ：    照明装置
２      ：    筐体
３      ：    窓部材
４（４ｃ，４ｄ）      ：    側面カバー
５      ：    ケーブル挿入孔
７      ：    中空部
９      ：    コーキング材
１０      ：    パッキン
１１      ：    電装基板
１２      ：    ＬＥＤ基板
１３      ：    ＬＥＤ素子
２０      ：    筐体の底部
２１（２１ａ，２１ｂ）    ：    収容溝
２２（２２ａ，２２ｂ）    ：    筐体の側部
２３（２３ａ，２３ｂ）    ：    隔壁部
２４（２４ａ，２４ｂ）    ：    基板載置部
２５（２５ａ，２５ｂ）    ：    基板載置部
２６      ：    パッキン用溝
２７      ：    第二隔壁部
２８      ：    パッキン用溝底面
３０      ：    基体部
３１      ：    第一脚部
３２      ：    第二脚部
３３      ：    係合部
３４      ：    基板支持部
３４ａ    ：    基板支持部の端部
４０      ：    空間
４１      ：    第一溝領域
４２      ：    第二溝領域
４３，４４      ：    第一溝領域の内壁
４５，４６      ：    第二溝領域の内壁
４７      ：    係合面
４８      ：    溝底面
６１      ：    取付金具
６２      ：    天井壁
６３      ：    照明対象物
１００      ：    従来の植物育成用の照明装置
１１１      ：    筐体
１１１ａ    ：    筐体１１０の天壁部
１１１ｂ    ：    筐体１１０の底壁部
１１１ｃ    ：    筐体１１０の側壁部
１２０      ：    ＬＥＤ基板
１２１      ：    ＬＥＤ素子
１２８      ：    電装基板
１３０      ：    窓部材
１３０ａ    ：    窓部材１３０の隔壁
１３０ｂ    ：    窓部材１３０の外縁部
１４１      ：    アンテナ
１５０      ：    シール部材
１６０      ：    側面カバー
【図１】
2020064822.tif 000003
【図２】
2020064822.tif 000004
【図３】
2020064822.tif 000005
【図４】
2020064822.tif 000006
【図５】
2020064822.tif 000007
【図６】
2020064822.tif 000008
【図７】
2020064822.tif 000009
【図８】
2020064822.tif 000010
【図９】
2020064822.tif 000011
【図１０】
2020064822.tif 000012
【図１１】
2020064822.tif 000013
【図１２】
2020064822.tif 000014
【図１３】
2020064822.tif 000015
【図１４】
2020064822.tif 000016
【図１５】
2020064822.tif 000017
【図１６】
2020064822.tif 000018
【図１７】
2020064822.tif 000019
【図１８】
2020064822.tif 000020
【図１９】
2020064822.tif 000021
【図２０】
2020064822.tif 000022
【図２１】
2020064822.tif 000023
【図２２】
2020064822.tif 000024
【図２３】
2020064822.tif 000025
【図２４】
2020064822.tif 000026